(57)【要約】【課題】現在は水力、火力、発電等を用いているが電力の不足で原子力を使用するに至った。之は生物の滅亡の危険を意味する。この原子炉を世界から取除かなければならない。【解決手段】垂直に直立する中心軸に互に反対の方向になる様に対照的に同じ大きさの発電機を同じ長さのワイヤーで固着しモーター回転する。梃の原理の応用で回すと大電力を得る。【選択図】　　図２
2004076710.tif 000002
【特許請求の範囲】
【請求項１】
重さの等しい２個の発電機に等しい長さのワイヤーをつけ、その一端を互いに反対方向になる様に、垂直に立つ中心軸の一点につけてその中心軸を高速回転する重い発電機は振り回されて、この発電機は中心軸の一点に固着しているので図２、図６に示す様に垂直に立つ中心軸のワイヤーの固着点を含む水平円板形に中心軸と直角の方向に円周回転する性質があるから大きな慣性で水平円周回転する。この発電機の外側底部に磁石板をつけると磁石板も円周回転する。この磁石板の円周回転する円周と向かい合う土台上に図２の（９）に示す様に同磁極の磁石を向い合う様に円形にならべると、図２、図５に示す様に（８）（９）の同極の磁石は互に反発して（８）は（９）から浮上するから円周回転する発電機は土台から浮上し、始動の際土台との摩擦がなくなる。同様に図２に示す様に円周回転する発電機のギヤ（１１）が円周回転するのと接触する土台上に（１１）と噛み合うギヤ（１１′）を土台上に並べる。中心軸の高速回転が続くと（１１）と（１１′）は接触して（１１）は回転し、内部の磁場内も回転し、発電する。このギヤ（１１）は円周回転する発電機の直径より大きな輪状にする、大きい程、梃の原理により、発電機の軸は軽くまわる。発電機は発電する。この電力の一部でモーターを回転する。
【発明の詳細な説明】
【０００１】
【発明の属する技術分野】
設備を簡単に。公害もなく原子力を使わない。安全な発電装置。
【０００２】
【従来の技術】
車輛、航空機等の運航の時エンジン音が高い　又原子力発電を一日も早く止めなければならない。
【０００３】
【発明が解決しようとする課題】
発電する際に現在は水力、化石燃料、原子力等を使用し生物にとって公害の多い環境破壊そのもので又は原子力等を使用し悲惨な状況であり原子力発電はいつか災が起こる。人類は一日も早く原子炉から脱出しなければならない。
【０００４】
【課題を解決するための手段】
同じ大きさの二個の発電機を互に反対の方向に等しい長さのワイヤーをつけて、垂直に直立している中心軸の一点に固着しモーターをもって高速回転する。
二個の発電機は水平回転し平面板状に安定回転する。投擲競技に見る様にワイヤーに振り回されて平面円盤状に中心点の高さで水平回転する性質があるこの円周回転する発電機のギヤと接触固定ギヤを円周土台上に、円周に沿ってならべ固定する。円周回転している発電機のギヤは円周にある固定ギヤと接触してまわるから内部も回り発電する。これは発電機は中心軸の回転によって振り回される時の慣性の力と円周回転する時に噛み合う（固定ギヤは動かないから）移動している発電機のギヤ（１１）はその発電機の内部の軸より径が格段に大きいから梃の原理の作用で発電機の内部は軽く回るその力は回転による慣性の強大な振り回す力と梃の原理との二重の相乗作用によるものである。
同時に始動時に土台との摩擦をなくすため発電機の底に磁石板をつけ円周回転に沿って同磁極の磁石板を向かい合って円周状に固定しその反発によって発電機を浮上させたものである。
【０００５】
【発明実施の形態】
梃の原理
重い石うすを回す時その石うすに長い引棒を十文字につけてその端を持って四人の人間が石うすのまわりを回ると楽に石うすを回す事が出来る。重い発電機の軸を回す時その軸に大きな回転ギヤを取りつけてこれを回すと小さな力で回す事が出来る。軸に互に反対方向にワイヤーをつけその先に錘をつけて軸を回すとその錘は中心軸の固着点を含むその軸線に対して直角の平面状にワイヤーを半径として円周回転する性質がある。
【０００６】
この二つの原理を使ってこの発電装置は互に反対方向にワイヤーをつけた重い発電機を小さな原動力で回すのである。円周回転する発電機が大きい程慣性は大となり発電機のギヤ（１１）は大きな力で回転力を加えられた事になり（梃の原理で）円周回転している発電機の軸は回転し易くなる。発電力も大となるこの電力の一部を使って装置のモーターを動かす。
【０００７】
発電機にワイヤーをつけて振り回すとき円周回転する発電機自体の質量が大きい程回転力は強大となり発電機の内部の回転力も大きくなる。回転が速くなると新しい電力が発生し装置のモーターの必要原動力より桁違いの大電力を発生する。
【０００８】
例えば重い物でも宙吊りにして、横移動すれば軽く移動する事が出来る。宙吊りした鉄球で建築物を破壊する時、遠心力で鉄球は大きな力を出す。ワイヤーの長さは一定である遠心力で振り動かされた鉄球は大きな力で建物を破壊する。図１に示す様に縦中心軸に互に反対方向に同じ長さのワイヤーをつけた同じ重さの錘は中心軸の回転により、だんだん浮き上り水平回転する。この時、重量はゼロであり重さは遠心力に代わり、回転慣性は大きくなる。中心軸は負担がなく、左右の錘は同じであるから（＋）（−）＝０で中心軸は直立のままである。
錘の代わりに重い発電機を使う発電機の重さを錘の重さの代わりに使って円周回転する。図２に示す様に発電機のギヤが外側を周回転する様にする。又発電機の底に下部に磁石板を固着し装置の内縁部にこの発電機の磁石板が円周回転するのと向き合う同極の磁石板を並べて固定する。発電機錘が円周回転し始めると磁石板は反発して発電機錘は浮き上り、磁石浮上限度で水平回転する。発電機錘のギヤは遠心力により安定回転する。この時発電機のギヤと固定ギヤは噛み合って発電機ギヤは自分の遠心力回転する力で強力な回転力を与えられた事になり、ギヤの回転によって内部も回転し発電する。ワイヤーの長さが一定であるから遠心力は回転力となり、慣性が大となり回転力は強力となる。遠心力は質量が大きい程、大となる。このエネルギーに対する装置のモーターの必要電力は微々たるものである。原動力は小さくて、発電力は大であり発電機錘は宙吊り水平回転である。反発磁石を使わないで車輪等を使っても遠心力回転を始めると発電機は直ちに浮上し始める。
導枠は中心軸に固着してあるから、ワイヤーと共に回りワイヤーがたわんだり、ゆるまないで一定の長さを保ち発電機の自転を防ぐ。導枠は円盤型でも、リング形でも良い。固定ギヤは動かない。　錘の遠心力は、その質量、半径のワイヤーの長さ、回転数に依りいくらでも大きくなる、之は自明の理であり、明白である。
【０００９】
【発明の効果】
中心軸は遠心力、慣性がいくら大きくなっても負担はゼロで、回転は速くなり軽くなり、對の発電機は数多く取付けられる。仮に一基が１０万キロ以上の発電は出来なくとも、大量使用の企業と中小の使用者が個々に発電すれば、遠くから電気を運ばなくともよく、非常の場合でも単独で発電可能であり、また原子力を使わず、化石産業から企業も個々の生活もあらゆるものが電力でまかなえる。然も設備も安価、自然環境も破壊せず、生あるものに大きな影響を与える今の世の中の目的観を無くした焦りの若者、貧しいものを救う道であり世界平和の礎が開ける、化石産業に依る兵器産業から脱する方途であると信じます。
【図面の簡単な説明】
【図１】モーターの回転による遠心力により、錘の上昇を表わす。
【図２】錘の代りに発電機を使い、発電機のギヤの回転するのを表わす。図は中心軸から右半分を示し、対照的な左半分が左側にある。
【図３】
【図４】発電機の底面に、反発する向い合った磁石を取付けたところを表わした断面図。
【図５】発電装置
【図６】円周回転する発電機内の磁石を円周回転の外側になるようにした発電機の断面図の、右半分の図。
【符号の説明】
（１）　　　　　　は装置の中心軸、図７では二重で内筒は固定した乗員通路
（２）（２’）　　は錘
（３）（３’）　　は（２）（２’）の水平上昇したもの
（４）（４’）　　はワイヤー
（５）（５’）　　は導枠（ワイヤーと共に回る）
（６）（６’）　　は水平回転するワイヤー
（７）（７’）　　は水平回転する導枠
（８）（８’）　　は錘の下につけた下向きの磁石
（９）（９’）　　は錘の回転円周に沿って並べた土台上の上向きの磁石
（１０）　　　　　は錘の発電機の中心軸
（１１）　　　　　は錘のギヤ
（１１’）　　　　は土台（２１）に並べた固定した（１１）の相手ギヤ
（１２）　　　　　は（８）と（９）の同極磁石の反発による空間
（１３）　　　　　は磁力の絶縁金属の蔽
（１４）（１５）　は発電機内の磁場
（１６）　　　　　は図２、図７では発電機のカバー
図３、図４では発電機軸の支え
（１７）　　　　　は車輪型の錘
（１８）　　　　　は（１７）の外側のギヤー
（１９）　　　　　は（１７）の回転反動錘の部分（半月型）
（２０）　　　　　は固定発電機内の下向の磁石で（２２）に固着
（２１）　　　　　は（２０）と同極の磁石で上向き
（２２）　　　　　は固定発電機の下向磁石取り付け板（絶縁金属）
（２３）　　　　　は固定発電機の（２０）（２２）（２４）（２５）と固着し
ている中心軸
（２４）　　　　　は固定発電機のギヤの取り付け板（２’）と噛み合せ発電機
を回す
（２５）　　　　　は（２）と（２４）とのギヤの噛み合せ部分
（２６）　　　　　は地上の土台
（２７）　　　　　はベアリング
（２８）　　　　　は乗員室
（２９）　　　　　は（２８）の床
（３０）　　　　　は（１）の外側の筒、回転する
（３１）　　　　　はモーター室
（３２）　　　　　は回転翼
（３３）　　　　　は装置の外周を取巻く骨格材
（３４）　　　　　は通路
（３５）　　　　　は外壁
（３６）　　　　　は外壁に取付けたギヤ
（３７）　　　　　はモーター
（３８）（３９）　は中心軸を回わす２個のベルト。
【図１】
2004076710.tif 000003
【図２】
2004076710.tif 000004
【図３】
2004076710.tif 000005
【図４】
2004076710.tif 000006
【図５】
2004076710.tif 000007
【図６】
2004076710.tif 000008
【手続補正書】
【提出日】平成14年10月1日(2002.10.1)
【手続補正１】
【補正対象書類名】明細書
【補正対象項目名】０００４
【補正方法】変更
【補正の内容】
【０００４】
【課題を解決するための手段】
同じ大きさの二個の発電機を互に反対の方向に等しい長さのワイヤーをつけて、垂直に直立している中心軸の一点に固着しモーターをもって高速回転する。
二個の発電機は水平回転し平面板状に安定回転する。投擲競技に見る様にワイヤーに振り回されて平面円盤状に中心点の高さで平面回転する性質があるこの円周回転する発電幾のギヤと接触するギヤを円周土台上に、円周に沿ってならべ固定する。円周回転している発電機のギヤは円周にある固定ギヤと接触してまわるから内部も回り発電する。これは発電幾は中心軸の回転によって振り回される時の慣性の力と円周回転する時に噛み合う（固定ギヤは動かないから）移動している発電機のギヤ（１１）はその発電幾の内部の軸より径が格段に大きいから梃の原理の作用で発電機の内部は軽く回るその力は回転による慣性の強大な振り回す力と挺の原理との二重の相乗作用によるものである。
同時に始動時に土台との摩擦をなくすため発電幾の底に磁石板をつけ円周回転に沿って同磁極の磁石板を向かい合って円周状に固定しその反発によって発電機を浮上させたものである。


【手続補正２】
【補正対象書類名】明細書
【補正対象項目名】０００８
【補正方法】変更
【補正の内容】
【０００８】
例えば重い物でも宙吊りにして、横移動すれば軽く移動する事が出来る。宙吊りした鉄球で建築物を破壊する時、鉄球は大きな力を出す。
ワイヤーの長さは一定である振り動かされた鉄球は大きな力で建物を破壊する。図１に示す様に縦中心軸に互に反対方向に同じ長さのワイヤーをつけた同じ重さの錘は中心軸の回転により、だんだん浮き上り水平回転する。この時、重量はゼロであり重さは水平回転力に代わり慣性は大きくなる。中心軸は負担がなく、左右の錘は同じであるから（＋）（−）＝０で中心軸は直立のままである。
錘の代わりに重い発電機を使う発電機の重さを錘の重さの代わりに使って円周回転する。図２に示す様に発電機のギヤが外側を周回転する様にする。又発電機の底に下部に磁石板を固着し装置の内縁部にこの発電機の磁石板が円周回転するのと向き合う同極の磁石板を並べて固定する。発電機錘が円周回転し始めると磁石板は反発して発電機錘は浮き上り、磁石浮上限度で水平回転する。発電機錘のギヤは回転力により安定回転する。この時発電機のギヤと固定ギヤは噛み合って発電機ギヤは自分の円周回転する力で強力な回転力を与えられた事になり、ギヤの回転によって内部も回転し発電する。ワイヤーの長さが一定で振り動かされた力は回転力となり、慣性が大となり回転力は強力となる。回転力は質量が大きい程、大となる。このエネルギーに対する装置のモーターの必要電力は微々たるものである。原動力は小さくて、発電力は大であり発電機錘は宙吊り水平回転である。反発磁石を使わないで車輪等を使っても　円周回転を始めると発電機は直ちに浮上し始める。
導枠は中心軸に固着してあるから、ワイヤーと共に回りワイヤーがたわんだり、ゆるまないで一定の長さを保ち発電機の自転を防ぐ。導枠は円盤型でも、リング形でも良い。固定ギヤは動かない。　円周回転力は、その質量、半径のワイヤーの長さ、回転数に依りいくらでも大きくなる、之は自明の理であり、明白である。




【手続補正書】
【提出日】平成15年3月14日(2003.3.14)
【手続補正２】
【補正対象書類名】明細書
【補正対象項目名】０００７
【補正方法】変更
【補正の内容】
【０００７】
円盤状の導枠を水平に置き、その中心を垂直に中心軸で貫き垂直の中心軸の中間で固着する。中心軸の一点に互いに反対方向に、同じ長さのワイヤーをつけそのワイヤーの外側に図２に示す様に各々の先端に発電機をつける。ワイヤーは円盤導枠に沿って水平となり、中心軸を回転すると重い発電機は導枠と共に（図２）円周回転する。振り回される発電機は一定の高さで円周回転しワイヤーと中心軸の固着点の高さで円周回転軌跡上を回る。この周回発電機内部軸の延長の外部軸図２の（１０）に車輪状の（１１）ギアを設える、このギアは装置の内側に備えた土台（２１）の上に刻んだ（１１′）と噛み合って発電機の軸を回転する。この回転により発電機の内部磁束を切って発電が起こる。
この新しく発生した電気を原動力としてモーターの回転に使う。円周回転する発電機の発電力はその銅部分が大きい程、回転が早い程、大となりこれの増減で発電力の調節も可能。それで足りなければ周回転発電機の対の数を増す。空気抵抗等が問題の時は装置内を真空にする。
回転が始まれば重量は水平に外方にはたらき軽くなる円周回転する発電機は発電機であるから発電機の内部が回転すれば当然発電し高速な程大きな電力を産む。大きな電力を産出する様に回転モーターの力を調整するのである。
装置は地上では土台が安定しているから発電機の円周回転も安定している
移動中の車等宇宙空間でもモーター、ギヤ等が安定回転すれば発電する。
設備も簡単でクリーンである。原動力以上の発電も可能である。対の円周回転発電機の数を増す事も出来る。原子力や化石燃料は使わない。始動も他の電気を使う。
円周回転発電機は二室に分かれている。主発電室（１７）と発電機内部の同極向い合った円盤磁石室（１８）である。円盤磁石の一枚図６（１９）は中心軸（１０）に固着しているから発電機の円周回転により内部の物が外側に片寄せられるのを防ぐためである。
初めに根本のモーター図１の（２３）が回るとワイヤーについた重い発電機は振り回され、発電機の重量は中心軸の固定点より外側向きとなり軽くなる。従って回転は容易となる。モーター（２３）の力は円周回転力でありそのギヤを挺子の原理と共に軽く回し発電も容易となる。この様な自然の妙がモーターの必要電力以上の電力を産む。


【手続補正３】
【補正対象書類名】明細書
【補正対象項目名】図面の簡単な説明
【補正方法】変更
【補正の内容】
【図面の簡単な説明】
【図１】モーターが回転して、ワイヤーにつけた錘が円周回転して振り回され、だんだん上昇して中心軸とワイヤーの固着点の高さで水平回転するを表わす。
【図２】錘の代りに発電機を使い、発電機のギヤの回転するのを表わす。図は中心軸から右半分を示し、対照的な左半分が左側にある。
【図３】発電機の底面に、反発する向い合った磁石を取付けたところを表わした断面図。
【図４】円周回転する発電機の底面の磁石（８）と、反発する磁石板（９）を装置上に固定した断面図。
【図５】発電装置。
【図６】円周回転する発電機内の磁石を円周回転の外側になるようにした発電機の断面図の、右半分の図。


【手続補正４】
【補正対象書類名】明細書
【補正対象項目名】符号の説明
【補正方法】変更
【補正の内容】
【符号の説明】
（１）　　　　　　は装置の中心軸、モーター回転する
（２）（２′）　　は錘
（３）（３′）　　は（２）（２′）の水平上昇したもの
（４）（４′）　　はワイヤー
（５）（５′）　　は導枠（ワイヤーと共に回る）
（６）（６′）　　は水平回転するワイヤー（中心軸との固着点の高さ）
（７）（７′）　　は水平回転する導枠
（８）（８′）　　は錘の下につけた下向きの磁石
（９）（９′）　　は錘の回転円周に沿って並べた土台上の上向きの磁石（断面）
（１０）　　　　　円周回転の発電機の中心軸
（１１）　　　　　は錘のギヤ円周回転する発電機の車輪型のギヤ
（１１′）　　　　は土台（２１）に並べた固定した（１１）の相手ギヤ
（１２）　　　　　は（８）と（９）の同極磁石の反発による空間
（１３）　　　　　は磁力の絶縁金属の蔽
（１４）（１５）　は発電機内の磁場回転円周の内側室内（２２）で分けられる（１６）　　　　　円周回転する発電機のカバー
（１７）　　　　　は円周回転発電機の外側の車輪型ギヤに近い室
（１８）　　　　　は円周回転発電機の外の車輪型ギヤに遠い室（軸に近い）
（１９）　　　　　は円周回転発電機内の軸（１０）に固着している磁石板
（２０）　　　　　は円周回転発電機の磁石でカバーの内部に固定している（１
９）と同極の磁石である。
（２１）　　　　　は地上（固定土台）
（２２）　　　　　発電機の隔壁
（２３）　　　　　モーター
（２４）　　　　　ベアリング


【手続補正５】
【補正対象書類名】図面
【補正対象項目名】全図
【補正方法】変更
【補正の内容】
【図１】
2004076710.tif 000009
【図２】
2004076710.tif 000010
【図３】
2004076710.tif 000011
【図４】
2004076710.tif 000012
【図５】
2004076710.tif 000013
【図６】
2004076710.tif 000014
【手続補正６】
【補正対象書類名】明細書
【補正対象項目名】０００９
【補正方法】変更
【補正の内容】
【０００９】
【発明の効果】
装置の中心軸は、慣性がいくら大きくなっても負担はゼロで、回転は速くなり軽くなり、對の発電機は数多く取付けられる。仮に一基が１０万キロ以上の発電は出来なくとも、大量使用の企業と中小の使用者が個々に発電すれば、遠くから電気を運ばなくともよく、非常の場合でも単独で発電可能であり、また原子力を使わず、化石産業から企業も個々の生活もあらゆるものが電力でまかなえる。然も設備も安価、自然環境も破壊せず、生あるものに大きな影響を与える今の世の中の目的観を無くした焦りの若者、貧しいものを救う道であり世界平和の礎が開ける、化石産業に依る兵器産業から脱する方途であると信じます。




【手続補正書】
【提出日】平成15年5月12日(2003.5.12)
【手続補正１】
【補正対象書類名】明細書
【補正対象項目名】請求項１
【補正方法】変更
【補正の内容】
【請求項１】
重さの等しい２個の発電機に等しい長さのワイヤーをつけ、その一端を互いに反対方向になる様に、垂直に立つ中心軸の一点につけてその中心軸を高速回転するこの発電機の外側底部に磁石板をつけ、この磁石板の円周回転する円周と向かい合う土台上に図２の（９）に示す様に同磁極の磁石を向い合う様に円形に固定すると、図２、図５に示す様に（８）（９）の同極の磁石は互に反発して（８）は（９）から浮上するから円周回転する発電機は土台から浮上し、始動の際土台との摩擦がなくなる。同様に図２に示す様に円周回転する発電機のギヤ（１１）が円周回転するのと接触する土台上に（１１）と噛み合うギヤ（１１′）を土台上に固定する中心軸の高速回転が続くと（１１）と（１１′）は接触し（１１）は回転し、内部の磁場内も回転し、発電する。　ギヤ（１１）は円周回転する発電機の直径より大きな輪状にする、
【手続補正２】
【補正対象書類名】明細書
【補正対象項目名】０００５
【補正方法】変更
【補正の内容】
【０００５】
【発明実施の形態】
梃の原理
重い石うすを回す時その石うすに長い引棒を十文字につけてその端を持って四人の人間が石うすのまわりを回ると楽に石うすを回す事が出来る。重い発電機の軸を回す時その軸に大きな回転ギヤを取りつけてこれを回すと小さな力で回す事が出来る。


【手続補正３】
【補正対象書類名】明細書
【補正対象項目名】０００６
【補正方法】変更
【補正の内容】
【０００６】
軸に互に反対方向にワイヤーをつけその先に錘をつけて軸を回すとその錘は中心軸の固着点を含むその軸線に対して直角の平面状にワイヤーを半径として円周回転するこの二つの原理を使ってこの発電装置は互に反対方向にワイヤーをつけた重い発電機を小さな原動力で回すのである。円周回転する発電機が大きい程慣性は大となり発電機のギヤ（１１）は大きな力で回転力を加えられた事になり（梃の原理で）円周回転している発電機の軸は回転し易くなる。発電力も大となるこの電力の一部を使って装置のモーターを動かす。




【手続補正書】
【提出日】平成15年6月9日(2003.6.9)
【手続補正１】
【補正対象書類名】明細書
【補正対象項目名】０００６
【補正方法】変更
【補正の内容】
【０００６】
電気を得るために、発電機を回転する。発電機が重くてなかなか回転しない
本装置は発電機を軽く回転する装置である。原子力等を使わない。
図２に示す様に、縦中心軸（１）の一点にワイヤー（６）（４）の補助として導枠（この場合は円盤）を水平に設備しワイヤー及び導枠（７）が一緒に回る様にする。モーターが回転すると（１）が回りワイヤー（６）（４）、導枠（７）及びその先に固着してある発電機とその軸（１０）の延長に中心を持つ車輪を図２の様に発電機の軸線と９０°をなす様に固着する。其の車輪のまわりにギヤ又は之に類するその（１１）を刻む装置の縦中心軸をモーター（２３）で回転すると発電機（３）及び車輪は（１）の回転によってワイヤー及び（７）に振り回され（１１）を外側にして水平円形を画いて回転する。発電機が重いから安定してまわる。此の時装置の土台上に車輪のギア（１１）と接触する固定ギア（１１′）を噛み合う様に円形に固定しておくと、重い発電機と車輪は、振り回されて円周を回転移動するからギア（１１）と（１１′）が接触してギア（１１）は自分の移動する力のために固定ギアと噛み合って車輪は回り中心軸を回転する。この時に発電機より格段に大きな直径の車輪に刻んであるギア（１１）の回転であるから挺子の原理により発電機の軸は軽く回転する。（３）は図２に示す様に重さは外側にはじかれる力となり中心軸とワイヤーとの固着の高さで水平に回る。スピードが遅いのは車輪の回転で調整する。空気抵抗が大ならば真空にする。発電機に固着した磁石（８）（９）は装置と（３）との摩擦を防ぐ。軸に互いに反対方向にワイヤーをつけその先に錘をつけて軸を高速回転するとその錘は中心軸の固着点を含む　その軸線に対して直角の平面状にワイヤーを半径として円周回転する挺子の原埋と　　　この原理を使ってこの発電装置は互いに反対方向にワイヤーをつけた重い発電機を小さな原動力で回すのである。円周回転する発電機が大きい程慣性は大となり発電機のギア（１１）は大きな力で回転力を加えられた事になり（挺子の原理で）円周回転している発電機の軸は回転し易くなる。発電力も大となる。この電力の一部を使って装置のモーターを動かす。




【手続補正書】
【提出日】平成15年7月14日(2003.7.14)
【手続補正１】
【補正対象書類名】明細書
【補正対象項目名】０００９
【補正方法】変更
【補正の内容】
【０００９】
装置が始動しはじめると振り回された発電機は発電機自体の重さが大きい程円周回転力は大となり車輪の円周回転力も大となるから車輪のギアの回転力も大となる。その結果図２（１０）は回転が容易となる。即ち、軸（１０）の回転力を大きくするには円周回転発電機の外側の重さを大きくする。仮えば外側の部分を厚くするとか水を入れる事が出来る様にし、重くして、非常の場合にこの水を抜いて停止する事が出来る様にする。
宙吊りで円周移動している発電機は強い慣性が働き原動力は小さい。遠くから電気を運んだり、大がかりな設備も不用で原子力の心配もなくインバーター等が発達した現代にとって都合のよいものである。


【手続補正２】
【補正対象書類名】明細書
【補正対象項目名】符号の説明
【補正方法】変更
【補正の内容】
【符号の説明】
（１）　　　　　　は装置の中心軸、モーター回転する
（２）（２′）　　は錘
（３）（３′）　　は（２）（２′）の水平上昇したもの
（４）（４′）　　はワイヤー
（５）（５′）　　は導枠（ワイヤーと共に回る）
（６）（６′）　　は水平回転するワイヤー（中心軸との固着点の高さ）
（７）（７′）　　は水平回転する導枠
（８）（８′）　　は錘の下につけた下向きの磁石
（９）（９′）　　は錘の回転円周に沿って並べた土台上の上向きの磁石（断面）
（１０）　　　　　円周回転の発電機の中心軸
（１１）　　　　　は錘のギヤ円周回転する発電機の車輪型のギヤ
（１１′）　　　　は土台（２１）に並べた固定した（１１）の相手ギヤ
（１２）　　　　　は（８）と（９）の同極磁石の反発による空間
（１３）　　　　　は磁力の絶縁金属の蔽
（１４）（１５）　は発電機内の磁場　回転円周の内側室内（２２）で分けられる
（１６）　　　　　円周回転する発電機のカバー
（１７）　　　　　は円周回転発電機の外側の車輪型ギヤに近い室
（１８）　　　　　は円周回転発電機の外の車輪型ギヤに遠い室（軸に近い）
（１９）　　　　　は円周回転発電機内の軸（１０）に固着している磁石板
（２０）　　　　　は円周回転発電機の磁石でカバーの内部に固定している（１９）と同極の磁石である。
（２１）　　　　　は地上（固定土台）
（２２）　　　　　発電機内の隔壁
（２３）　　　　　モーター
（２４）　　　　　ベアリング
（２５）　　　　　は円周発電機の外側の下部に固着した磁石板
（２６）　　　　　は円周発電機の円周回転する円形と向き合う土台上に竝べた磁石板
（２７）　　　　　は軸（１０）の延長に中心をもつ車輪で円周にギアを取り付け（１０）をまわす車輪
（２８）　　　　　は（２５）と（２６）の同磁極板が反発した空間。


【手続補正３】
【補正対象書類名】図面
【補正対象項目名】図２
【補正方法】変更
【補正の内容】
【図２】
2004076710.tif 000015
【手続補正書】
【提出日】平成15年9月2日(2003.9.2)
【手続補正１】
【補正対象書類名】明細書
【補正対象項目名】特許請求の範囲
【補正方法】変更
【補正の内容】
【特許請求の範囲】
【請求項１】
発電する際に、従来は発電機を固定してその内部構造物をその軸を中心として回転させる。発電装置が重いから当然であるがその重量の大きな事を利用して、その回転の方向を変えて即ち、発電機自体にワイヤーをつけ中心軸と連結して中心軸を回して発電機を振り回し円周回転させ、その大きな力を利用して、その回転の方向を変えて、即ち円周回転している発電機の外側に出ている図２（１０）軸を中心とした、車輪状のギヤーをつける。又装置の内側にこのギヤーと接触する相手ギヤーを円型に竝らべて固定するとこのギアー同志が噛み合って発電機の軸は挺子の原理により大きな力で回転すると発電する。原子力も使わずダム建設も要らずクリーンであり宇宙でも使える。移動中でも使える便利なものである。
【手続補正書】
【提出日】平成15年10月14日(2003.10.14)
【手続補正１】
【補正対象書類名】明細書
【補正対象項目名】０００６
【補正方法】変更
【補正の内容】
【０００６】
図２に示す様に大きさの等しい２個の発電機に同じ長さのワイヤーをつけ、そのワイヤーの他端を、垂直に立っている装置の中心軸の一点に、２つのワイヤー及び発電機が互いに反対方向になる様に固着する。中心軸を回転すると、２個の発電機はワイヤーで振り回されてだんだん浮上してワイヤーと中心軸の固着点の高さで水平回転する。ワイヤーと発電機もこの両方の長さを足した長さの半径で回わる。この時水平軸図２（１０）は発電機より少し外側に長くし図２（１０）の車輪形の回転ギヤをつけるこの歯車は中心軸を磁石で出来ている　　　　　　　中心点が中心軸であるから図２（１０）に見る歯車（１１）は軸線と９０°直角である。車輪状の歯車は水平な中心軸にがっちり固着して図２（１１）の台上の歯車と接触して発電機内の中央でコイルの中で回わると発電する。磁石で出来た中芯軸が重くても梃子の原理の作用で軸は回わる。之が回転すると発電機の銅部分には電気が発生する。なお発電機の対の数が増えて、ぶつかったりしない様に発電機同士を離すとか導枠と連結したりは時に応じて処理する発電機は２個一対であるから中心軸は軽く回わる重くても発電機は軽く回転する。原動力は振り回わす力丈で回転が速くなると益々軽くなる。電車でも何でも自分で電気をつくって走る。宇宙空間でも良い有限な石油の心配もない原子力の恐怖もない自然破壊の心配もないクリーンで遠くから電気を運ばなくてもよい資源の無い国は助かる。


【手続補正２】
【補正対象書類名】明細書
【補正対象項目名】０００９
【補正方法】変更
【補正の内容】
【０００９】
装置が始動しはしめると振り回された発電機は発電機自体の重さが大きい程円周回転力は大となり車輪の円周回転力も大となるから車輪のギアの回転力も大となる。その結果図２（１０）は回転が容易となる。即ち、軸（１０）の回転力を大きくするには円周回転発電機の外側の重さを大きくする。仮えば外側の部分を厚くするとか水を入れる事が出来る様にし、重くして非常の場合にこの水を抜いて停止する事が出来る様にする。
宙吊りで円周移動している発電機は強い慣性が働き電動力は小さい。
この発電装置はワイヤーで物を振り回す原理と挺子の原理を単純につないでモーターで振り回したもので原理そのものは各々原理運動である。原理に忠実である　構造中の巻きコイル及び発電機自体の振り回される動力が作用して新しい電力を産む磁束をきる力等を考えて挺子の原理を使ったのである。力はいくらでも大きくなる。
発電する際に、従来は発電機を固定してその内部構造物をその軸を中心として回転させる。発電装置が重いから当然であるがその重量の大きな事を利用して、その回転の方向を変えて即ち、発電機自体にワイヤーをつけ中心軸と連結して中心軸を回して発電機を振り回し円周回転させ、その大きな力を利用して、その回転の方向を変えて、即ち円周回転している発電機の外側に出ている図２（１０）軸を中心とした、車輪状のギヤーをつける。又装置の内側にこのギヤーと接触する相手ギヤーを円型に竝らべて固定するとこのギアー同志が噛み合って発電機の軸は挺子の原理により大きな力で回転すると発電する。原子力も使わずダム建設も要らずクリーンであり宇宙でも使える。移動中でも使える。


【手続補正３】
【補正対象書類名】明細書
【補正対象項目名】［図面の簡単な説明］
【補正方法】変更
【補正の内容】
【図面の簡単な説明】
【図１】モーターが回転して、ワイヤーにつけた錘が円周回転して振り回され、だんだん上昇して中心軸とワイヤーの固着点の高さで水平回転するを表わす。
【図２】錘の代りに発電機を使い、発電機のギヤの回転するのを表わす。
図は中心軸から右半分を示し、対照的な左半分が左側にある。
【図３】発電機の底面に、反発する向い合った磁石を取付けたところを表わした断面図。
【図４】円周回転する発電機の底面の磁石（８）と反発する磁石板（９）を装置上に固定した断面図。
【図５】発電装置。
【符号の説明】
（１）　　　　　　は装置の中心軸、モーター回転する
（２）（２’）　　は錘　円周回転発電機
（３）（３’）　　は（２）（２’）の水平上昇したもの
（４）（４’）　　はワイヤー（１）と円周発電機をつなぐ
（５）（５’）　　は導枠（ワイヤーと共に回る）
（６）（６’）　　は水平回転するワイヤー（中心軸との固着点の高さ）
（７）（７’）　　は水平回転する導枠
（８）（８’）　　は錘の下につけた下向きの磁石
（９）（９’）　　は錘の回転円周に沿って並べた土台上の上向きの磁石（断面）
（１０）　　　　　は円周回転の発電機の中心軸
（１１）　　　　　は錘のギア円周回転する発電機の車輪型のギア
（１１’）　　　　は土台（２１）に並べた固定した（１１）の相手ギア
（１２）　　　　　は（８）と（９）の同極磁石の反発による空間
（１３）　　　　　は磁力の絶縁金属のおおい
（１４）（１５）　は発電機内の磁場回転円周の内側室内（２２）で分けられる
（１６）　　　　　円周回転する発電機のカバー
（１７）　　　　　は円周回転発電機の外側の車輪型ギアに近い室
（１８）　　　　　は円周回転発電機の外の車輪型ギアに遠い室（軸に近い）
（１９）　　　　　は円周回転発電機内の軸（１０）に固着している磁石板（１０と共に回る）
（２０）　　　　　は円周回転発電機内の磁石でカバーの内部に固定している（１９）と同極の磁石である。
（２１）　　　　　は地上（固定土台）
（２２）　　　　　円周回転発電機内の隔壁（２２と接触しない）
（２３）　　　　　モーター
（２４）　　　　　円周発電機の下についている磁石板下向き
（２５）　　　　　円周発電機の下についている磁石上向き（２４）同磁極
（２６）　　　　　円周発電機の外側の車輪（ギアをとりつける）
（２７）　　　　　（２５）と（２６）の反発した空間
（２８）　　　　　は発電機室（１８）にある。軸（１０）から出ている曲がね状のもので前、後してある。被服銅線を（１０）に平行してぐるぐる巻いてモーターで（１０）と共に回転すると発電する。現代は基盤を用いる。


【手続補正７】
【補正対象書類名】図面
【補正対象項目名】全図
【補正方法】変更
【補正の内容】
【図１】
2004076710.tif 000016
【図２】
2004076710.tif 000017
【図３】
2004076710.tif 000018
【図４】
2004076710.tif 000019
【図５】
2004076710.tif 000020